Podtech/llm-jp-corpus-v4-ja_patent huggingface dataset:
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
低階調の階調補正用画像と、低階調以外の階調の階調補正用画像とを表示する表示手段と、
被表示領域に表示された各階調補正用画像を測色して視環境を示す環境情報を生成する視環境把握手段と、
前記環境情報に含まれる明るさ値に基づき、環境光の影響がある場合、少なくとも低階調域の出力を上げるように、前記表示手段が用いる表示用の入出力特性データを補正する補正手段を含み、
前記補正手段は、実環境で前記低階調の階調補正用画像を測色した場合の明るさ値Ｌ１１と、前記実環境で前記低階調以外の階調の階調補正用画像を測色した場合の明るさ値Ｌ１２とに基づく明るさ補正用環境情報値αに基づき、所定の演算を行って前記入出力特性データを補正する、
画像表示装置。
【請求項２】
請求項１において、
前記補正手段は、前記入出力特性データの補正の少なくとも一部としてガンマ補正を行うとともに、低階調域で第１の定数値γmin1と、前記明るさ補正用環境情報値αとを用いて前記所定の演算を行って低階調域用のガンマ値γ１’を求め、低階調域以外の階調域で前記第１の定数値とは異なる第２の定数値γmin2と、前記明るさ補正用環境情報値αとを用いて前記所定の演算を行って低階調域以外の階調域用のガンマ値γ２’を求める、
画像表示装置。
【請求項３】
請求項２において、
前記補正手段は、調整パラメータ値をhとした場合に、低階調域用の前記所定の演算として、Δγ１＝−ｈα（γ−γmin1）／（１＋｜ｈα｜）を演算してγの補正量Δγ１を求めることによって前記ガンマ値γ１’を求め、低階調域以外の階調域用の前記所定の演算として、Δγ２＝−ｈα（γ−γmin2）／（１＋｜ｈα｜）を演算してγの補正量Δγ２を求めることによって前記ガンマ値γ２’を求める、
画像表示装置。
【請求項４】
請求項３において、
低階調域用の出力を、入力値をγ１’乗した値に第３の定数値を掛けて求めるとともに、低階調域以外の階調域用の出力を、入力値をγ２’乗した値に前記第３の定数値とは異なる第４の定数値を掛けて求める色制御処理手段を含む、
画像表示装置。
【請求項５】
請求項1〜４のいずれかにおいて、
前記補正手段は、前記明るさ値Ｌ１１と、前記明るさ値Ｌ１２と、想定使用環境で前記低階調の階調補正用画像を測色した場合の明るさ値Ｌ０１と、前記想定使用環境で前記低階調以外の階調の階調補正用画像を測色した場合の明るさ値Ｌ０２とに基づき、前記明るさ補正用環境情報値αを演算する、
画像表示装置。
【請求項６】
請求項５において、
前記明るさ補正用環境情報値α＝｛（Ｌ０２／Ｌ０１）／（Ｌ１２／Ｌ１１）｝−１である、
画像表示装置。
【請求項７】
請求項１〜６のいずれかにおいて、
前記視環境把握手段は、前記被表示領域の輝度値を計測する輝度センサーあるいは前記被表示領域のＲＧＢ値またはＸＹＺ値を計測する色光センサーを含む、
画像表示装置。
【請求項８】
請求項１〜７のいずれかにおいて、
前記被表示領域を有するスクリーンの種別の入力をユーザーに促す画像を表示する手段と、
入力された前記スクリーンの種別を、前記環境情報の少なくとも一部として入力する手段と、
を含む、
画像表示装置。
【請求項９】
低階調の階調補正用画像と、低階調以外の階調の階調補正用画像とを被表示領域へ向け投写する表示手段と、
前記被表示領域に表示された各階調補正用画像を測色して視環境を示す環境情報を生成する視環境把握手段と、
前記環境情報に含まれる明るさ値に基づき、環境光の影響がある場合、少なくとも低階調域の出力を上げるように、前記表示手段が用いる表示用の入出力特性データを補正する補正手段を含み、
前記補正手段は、実環境で前記低階調の階調補正用画像を測色した場合の明るさ値Ｌ１１と、前記実環境で前記低階調以外の階調の階調補正用画像を測色した場合の明るさ値Ｌ１２とに基づく明るさ補正用環境情報値αに基づき、所定の演算を行って前記入出力特性データを補正する、
プロジェクタ。
【請求項１０】
表示手段と、視環境把握手段とを制御するコンピュータにより読み取り可能なプログラムにおいて、
前記コンピュータを、
低階調の階調補正用画像と、低階調以外の階調の階調補正用画像とを前記表示手段に表示させる表示制御手段と、
被表示領域に表示された各階調補正用画像を前記視環境把握手段に測色させて視環境を示す環境情報を生成させる視環境把握制御手段と、
前記環境情報に含まれる明るさ値に基づき、環境光の影響がある場合、少なくとも低階調域の出力を上げるように、前記表示手段が用いる表示用の入出力特性データを補正する補正手段として機能させるプログラムであって、
前記補正手段は、実環境で前記低階調の階調補正用画像を測色した場合の明るさ値Ｌ１１と、前記実環境で前記低階調以外の階調の階調補正用画像を測色した場合の明るさ値Ｌ１２とに基づく明るさ補正用環境情報値αに基づき、所定の演算を行って前記入出力特性データを補正する、
プログラム。
【請求項１１】
表示手段と、視環境把握手段とを制御するコンピュータにより読み取り可能な情報記憶媒体であって、
請求項１０に記載のプログラムを記憶した、
情報記憶媒体。
【手続補正２】
【補正対象書類名】明細書
【補正対象項目名】０１２５
【補正方法】変更
【補正の内容】
【０１２５】
図８は、本実施の形態の一例に係る低階調域と低階調域以外の階調域でγ’の値を異な
るようにした場合の出力の変化を示す図である。また、図９は、本実施の形態の一例に係る低階調域用の出力の変化と低階調域以外の階調域での出力の変化を示す図である。
【手続補正３】
【補正対象書類名】明細書
【補正対象項目名】０１３０
【補正方法】変更
【補正の内容】
【０１３０】
γ１’（低階調域用）＝０．４４
γ２’（低階調域以外の階調域用）＝１．２５
さらに、例えば、Ｗmax1＝０．５、Ｗmax2＝１．０という値を設定することにより、Ｙ１、Ｙ２は図９に示すようなグラフを描く。
【手続補正書】
【提出日】平成20年2月15日(2008.2.15)
【手続補正１】
【補正対象書類名】明細書
【補正対象項目名】００３３
【補正方法】変更
【補正の内容】
【００３３】
次に図15に示すように、受光素子12に蓄積した信号電荷を同時にすべて垂直転送路14に読み出す。図示しないが、この信号電荷の読出しは垂直駆動信号V1をレベル“H”にすることによりフィールドシフトゲート22をオン状態にする。これにより該当する色RGRG・・・, 色GBGB・・・が一行おきに読み出される。
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
ゲーム画像が表示される表示画面上の位置を指示するためのポインティングデバイスを備えるゲーム装置のコンピュータに、
前記ポインティングデバイスからの出力信号に基づいて、当該ポインティングデバイスを通じて入力される前記表示画面上の位置を示す座標値を逐次検出する座標検出ステップと、
前記表示画面上に表示される第１のオブジェクトが前記ポインティングデバイスにより操作されている状態にあるときに、前記座標検出ステップで検出された座標値に基づいて当該第１のオブジェクトを移動させる移動制御ステップと、
前記第１のオブジェクトが前記ポインティングデバイスにより操作されている状態が解除されたときに、該時点におけるプレイヤの前記ポインティングデバイスによる入力操作に関連する位置情報と前記表示画面上に表示される第２のオブジェクトの位置情報とに基づいて双方の位置関係が所定の条件を満たすか否かを判別する位置関係判別ステップと、
前記位置関係判別ステップにより前記位置関係が所定の条件を満たしたと判別されたときに、前記第１のオブジェクトと前記第２のオブジェクトとの何れか一方が他方に対して所定の動作を行うよう当該一方を制御する動作制御ステップとを実行させる、ゲームプログラム。
【請求項２】
前記位置関係判別ステップは、前記第１のオブジェクトが前記ポインティングデバイスにより操作されている状態が解除されたときに、前記座標検出ステップによって直前に検出された前記座標値に対応する前記表示画面上の位置と該時点における前記第２のオブジェクトとの位置関係を判別することを特徴とする、請求項１に記載のゲームプログラム。
【請求項３】
前記位置関係判別ステップは、前記第１のオブジェクトが前記ポインティングデバイスにより操作されている状態が解除されたときに、該時点における前記第１のオブジェクトと前記第２のオブジェクトとの位置関係を判別することを特徴とする、請求項１に記載のゲームプログラム。
【請求項４】
前記位置関係判別ステップは、プレイヤの前記ポインティングデバイスによる入力操作に関連する位置情報と前記第２のオブジェクトの位置情報とに基づいて双方の距離が所定の距離内であるか否かを判別し、
前記動作制御ステップは、前記所定の距離内に複数の第２のオブジェクトが存在するときは、プレイヤの前記ポインティングデバイスによる入力操作に関連する位置情報が示す前記表示画面上の位置に最も近い位置にいる第２のオブジェクトに対して前記第１のオブジェクトが前記所定の動作を行うよう当該第１のオブジェクトを制御することを特徴とする、請求項１に記載のゲームプログラム。
【請求項５】
前記動作制御ステップは、プレイヤが操作中であった前記第１のオブジェクトが前記所定の動作を行うよう当該第１のオブジェクトを制御することを特徴とする、請求項１記載のゲームプログラム。
【請求項６】
前記位置関係判別ステップは、プレイヤのポインティングデバイスによる入力操作に関連する位置情報が示す前記表示画面上の位置と前記第２のオブジェクトとの距離が所定距離以下であるか否かを判別し、
前記動作制御ステップは、前記位置関係判別ステップで前記位置と前記第２のオブジェクトとの距離が所定距離以下であると判別されたときに、前記第１のオブジェクトと前記第２のオブジェクトとの何れか一方が他方に対して所定の動作を行うよう当該一方を制御することを特徴とする、請求項１記載のゲームプログラム。
【請求項７】
前記所定の動作とは、前記第１あるいは第２のオブジェクトのパラメータ値を変化させることであることを特徴とする、請求項１記載のゲームプログラム。
【請求項８】
前記位置関係判別ステップにより前記位置関係が所定の条件を満たしたと判別されたときに、前記位置関係が所定の条件を満たしていることを示す表示を行うマーキングステップとを前記コンピュータに更に実行させる、請求項１記載のゲームプログラム。
【請求項９】
前記ポインティングデバイスは、前記表示画面上に設けられたタッチパネルであり、
前記移動制御ステップは、前記タッチパネルに対する接触が無い状態から最初に当該タッチパネルに対する接触が検出された時点における第１の入力座標値に続いて連続的に入力される一連の第２の入力座標値のうち、最新の第２の入力座標値を移動目標として、前記第１のオブジェクトを所定のアルゴリズムに従って移動させ、
前記動作制御ステップは、前記タッチパネルに対する接触が途絶えたときに、その直前に検出された第２の入力座標値に対応する位置に存在する第２のオブジェクトの種類に応じて異なる動作をするように前記第１のオブジェクトを動作させることを特徴とする、請求項１に記載のゲームプログラム。
【請求項１０】
ゲーム画像が表示される表示画面上の位置を指示するためのポインティングデバイスを備えるゲーム装置のコンピュータに、
前記ポインティングデバイスを通じて入力される前記表示画面上の位置を示す座標値を逐次検出する座標検出ステップと、
前記座標検出ステップによって検出された座標値群に基づいて、前記表示画面上に表示され、プレイヤが操作中である第１のオブジェクトの移動方向を示すベクトルデータを算出するベクトルデータ算出手段と、
前記第１のオブジェクトが前記ポインティングデバイスにより操作されている状態が解除されたときに、前記ベクトルデータの示す移動方向に、前記表示画面上に表示される第２のオブジェクトが存在するか否かを判別する移動先オブジェクト判別ステップと、
前記移動先オブジェクト判別ステップが、前記ベクトルデータの示す移動方向に第２のオブジェクトが存在すると判別したときに、プレイヤが操作していた第１のオブジェクトと当該第２のオブジェクトとの何れか一方が他方に対して所定の動作を行うよう当該一方を制御する動作制御ステップとを実行させる、ゲームプログラム。
【請求項１１】
前記移動先オブジェクト判別ステップは、前記第１のオブジェクトが前記ポインティングデバイスにより操作されている状態が解除されたときで、且つ、前記ベクトルデータに関するプレイヤの入力操作にかかった速度が所定の値以上のときにのみ、前記ベクトルデータの移動方向の先に第２のオブジェクトが存在するか否かを判別することを特徴とする、請求項１０記載のゲームプログラム。
【請求項１２】
請求項１から１１のいずれかに記載のゲームプログラムを記憶した記憶手段と、
前記記憶手段に記憶されたゲームプログラムを実行するプログラム実行手段とを備えたゲーム装置。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
体腔内の異なる部位を撮像する複数の撮像素子と、
前記各撮像素子の撮像データの信号処理に必要な各素子固有の信号処理用パラメータを格納した格納部と、
該格納部に格納された前記信号処理用パラメータを被検体外に送信出力する送信部と、
を備えたことを特徴とする被検体内導入装置。
【請求項２】
前記信号処理用パラメータは、前記撮像素子の撮像データに対してホワイトバランス処理を行うためのホワイトバランス係数のデータであることを特徴とする請求項１に記載の被検体内導入装置。
【請求項３】
前記信号処理用パラメータは、前記撮像素子の画素欠陥のアドレスを示すデータであることを特徴とする請求項１又は２に記載の被検体内導入装置。
【請求項４】
前記送信部は、前記各撮像素子により撮像された撮像データとともに、前記各撮像素子を識別するための識別コードに該撮像素子に対応する信号処理用パラメータを付加して送信出力することを特徴とする請求項１〜３のいずれか一つに記載の被検体内導入装置。
【請求項５】
請求項４に記載の被検体内導入装置と、
該被検体内導入装置の送信部から送信出力されるデータを受信する受信装置と、
を備えた被検体内情報取得システムであって、
前記受信装置は、
前記送信部から送信出力されるデータ中から識別コードを検出する識別コード検出手段と、
前記送信部から送信出力されるデータ中から信号処理用パラメータを検出するパラメータ検出手段と、
検出された識別コードに基づき前記撮像素子を識別し該撮像素子に対応する信号処理用パラメータを確定するパラメータ確定手段と、
前記送信部から送信出力された該撮像素子の撮像データに対し確定された該信号処理用パラメータを用いて画像処理を施す画像処理手段と、
を備えたことを特徴とする被検体内情報取得システム。
【請求項６】
前記パラメータ確定手段は、前記信号処理用パラメータの確定後に入力される前記識別コードと前記信号処理用パラメータとの組合せの適正度を監視し適正でなくなった場合には確信度の高いデータに基づき該組合せに修正処理を施すことを特徴とする請求項５に記載の被検体内情報取得システム。
【請求項７】
前記信号処理用パラメータは、それぞれの撮像データ毎に付加されていることを特徴とする請求項４に記載の検体内導入装置。
【請求項８】
前記パラメータ確定手段は、複数回受信した前記センサ識別コード及び前記信号処理用パラメータがあらかじめ決められた回数一致した場合に、前記センサ識別コード及び前記信号処理用パラメータを確定させることを特徴とする請求項５に記載の被検体内情報取得システム。
【手続補正書】
【提出日】平成20年1月29日(2008.1.29)
【手続補正１】
【補正対象書類名】明細書
【補正対象項目名】特許請求の範囲
【補正方法】変更
【補正の内容】
【特許請求の範囲】
【請求項１】 物品にデュアルレーザ衝撃ピーニングを加えるための方法であって、
ピーニングを加えるべき物品の第１表面上に、複数のスポットを含むスポットパターンを定める段階（１０４）と、
ピーニングを加えるべき前記物品の第２表面上に、複数のスポットを含むスポットパターンを定める段階（１０６）と
を含み、
前記第１及び第２表面は、互いに対して相互に相対する表面を含み、前記第２表面上の前記それぞれのスポットの各１つは、前記第１表面上のそれぞれのスポットに対応するように配列され、複数の組合わされたスポット対を構成し、そして各々のそれぞれ組合わされたスポット対に、同時に衝突するようにそれぞれ位置合わせされているデュアルレーザビームを発生する段階（１０８）、を含み、
前記物品に対する前記デュアルレーザビームの三次元的な位置合わせは、
物品位置合わせベクトルと該物品位置合わせベクトルが沿って位置する部品加工平面とを定める段階と、
レーザ位置合わせベクトルと該レーザ位置合わせベクトルが沿って位置するレーザ加工平面とを定める段階と、
前記部品加工平面と前記レーザ加工平面との間で相対的回転を行ない、前記部品加工平面とレーザ加工平面との間で平行な位置合わせを提供する段階と、
前記レーザビームの一方が前記部品の前記第１表面上のスポット中心に一致し、前記レーザビームの他方が前記第２表面上のスポット中心に一致するように、前記部品及び前記デュアルレーザビーム間で相対的並進移動を行う段階と
を含むことを特徴とする方法。
【請求項２】 前記第１表面は、凸状の表面を含むことを特徴とする請求項１に記載の方法。
【請求項３】 前記第１表面上の前記スポットパターンは、複数の部分的に重なり合うスポットを含むことを特徴とする請求項１又は２に記載の方法。
【請求項４】 隣接するスポット間の部分的に重なり合う度合を選択的に制御する段階（１１６）をさらに含むことを特徴とする請求項３に記載の方法。
【請求項５】 前記第２表面は、凹状の表面を含むことを特徴とする請求項１乃至４のいずれか１項に記載の方法。
【請求項６】 物品にデュアルレーザ衝撃ピーニングを加えるための装置（１）であって、
ピーニングを加えるべき物品の第１表面（４６）上に複数のスポットを含むスポットパターンを定めるためのスポットパターン生成装置（９０）を含み、前記パターン生成装置はさらに、ピーニングを加えるべき前記物品の第２表面（４８）上に複数のスポットを含むスポットパターンを定め、前記第１及び第２表面は互いに対して相互に相対する表面を含み、前記第２表面上のそれぞれのスポットの各１つは、前記第１表面上のそれぞれのスポットに対応するように配列され、複数の組合わされたスポット対を構成し、そして
各々のそれぞれ組合わされたスポット対に同時に衝突するようにそれぞれ位置合わせされているデュアルレーザビームを発生するためのレーザユニット（３１）を含み、
プロセッサによって実行される前記物品に対する前記デュアルレーザビームの三次元的な位置合わせが、
物品位置合わせベクトルと該物品位置合わせベクトルが沿って位置する部品加工平面とを定める段階と、
レーザ位置合わせベクトルと該レーザ位置合わせベクトルが沿って位置するレーザ加工平面とを定める段階と、
前記部品加工平面と前記レーザ加工平面との間で相対的回転を行ない、前記部品加工平面とレーザ加工平面との間で平行な位置合わせを提供する段階と、
前記レーザビームの一方が前記部品の前記第１表面上のスポット中心に一致し、前記レーザビームの他方が前記第２表面上のスポット中心に一致するように、前記部品及び前記デュアルレーザビーム間で相対的並進移動を行う段階と
を含むことを特徴とする装置。
【請求項７】 隣接するスポット間の部分的に重なり合う度合を選択的に制御する（１１６）ための重なり合い制御モジュールを更に含むことを特徴とする請求項６に記載の装置。
【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】  精錬された液体金属を受け取る液相線部分と凝固部分とを有し、さらに本質的に酸化物及び硫化物を含有せず、偏析欠陥を含まない微細結晶粒均質ミクロ組織を有する鋳造物を形成する、固体金属粒子の添加（２０）を伴う鋳造システム（３）であって、
精錬により金属から酸化物及び硫化物を除去した精錬された液体金属のソース（１）と、
前記鋳造物の液相線部分の表面に固体金属粒子を添加する固体金属粒子添加システム（２００）と、
鋳造物を形成する核生成鋳造システム（２）とを備え、
前記核生成鋳造システムは、精錬された液化金属を受け取って、本質的に酸化物及び硫化物を含有せず、偏析欠陥を含まない微細結晶粒均質ミクロ組織を有する鋳造物を形成し、
前記固体金属粒子添加システムは、鋳造物の凝固時に核生成中心として作用する固体金属粒子を添加する、
鋳造システム。
【請求項２】  前記精錬された液体金属のソースがエレクトロスラグ精錬システム（２）を備える、請求項１に記載の鋳造システム。
【請求項３】  前記エレクトロスラグ精錬システム（２）は、
精錬された液体金属のソースをエレクトロスラグ精錬し、溶融スラグを生成するよう構成されたエレクトロスラグ精錬構造（３０）と、
精錬された溶融金属を溶融スラグの下側に保持し、コールドハース構造内に精錬された溶融金属を与えるコールドハース構造（４０）と、
エレクトロスラグ精錬構造中に挿入され、エレクトロスラグ精錬構造内の溶融スラグと接触させられて精錬液体金属のソースを形成する、原料金属のソース（２４）と、
原料金属のソースをエレクトロスラグ精錬する電力を回路に供給する構成の電力源（７０）であって、前記回路は電力源と、原料金属のソースと、溶融スラグと、エレクトロスラグ精錬構造とからなり、電力は原料金属のソースが溶融スラグに接触するところで原料金属のソースを抵抗加熱溶融し精錬された液体金属の溶融液滴を形成するのに十分である、電力源（７０）と、
溶融液滴が溶融スラグを通して落下するのを許す出口と、
溶融液滴が溶融スラグを通過した後これらの溶融液滴を、エレクトロスラグ精錬構造直下のコールドハース構造内で精錬液体金属本体として収集するコレクタと、
コールドハース構造の下方部分にオリフィスを有するコールドフィンガオリフィス構造（８０）であって、コールドハースオリフィス構造に集まるエレクトロスラグ精錬金属をコールドフィンガオリフィス構造のオリフィスを通して排出する、コールドフィンガオリフィス構造（８０）とを備える、
請求項２に記載の鋳造システム。
【請求項４】  金属ソースがニッケル基、コバルト基、チタン基及び鉄基金属から選ばれる少なくとも１種の合金を含み、鋳造プロセスにより形成した鋳造物がニッケル基、コバルト基、チタン基及び鉄基金属の少なくとも１種を含む、請求項３に記載の鋳造システム。
【請求項５】  金属ソースを精錬構造中に進入させる速度がインゴットの下端が抵抗加熱溶融により溶融される速度に一致する、請求項３に記載の鋳造システム。
【請求項６】  オリフィスが溶融金属のストリーム（５６）を形成する、請求項３に記載の鋳造システム。
【請求項７】  エレクトロスラグ精錬構造及びコールドハース構造が同一構造物の上部と下部である、請求項３に記載の鋳造システム。
【請求項８】  電力源が精錬液体金属内に形成された回路を含む、請求項３に記載の鋳造システム。
【請求項９】  鋳造方法により形成される鋳造物に固体金属粒子を添加することを伴う鋳造方法において、鋳造物は精錬された液体金属を受け取る液相線部分と凝固部分とを有し、さらに本質的に酸化物及び硫化物を含有せず、偏析欠陥を含まない微細結晶粒均質ミクロ組織を有し、前記鋳造方法は、
精錬により金属から酸化物及び硫化物を除去した精錬された液体金属のソース（１）を用意し、
精錬された液体金属のソースを核生成鋳造システム（２）に供給し、
核生成鋳造システム（２）における核生成鋳造により、液相線部分（１４５）及び凝固部分（１４５）を含む鋳造物（１４５）を形成し、
液相線部分の表面（１５０）に固体金属粒子（２１０）を添加する工程を含み、
前記固体金属粒子は凝固時に核生成中心として作用する、
鋳造方法。
【請求項１０】  精錬液体金属ソースを用意する工程がエレクトロスラグ精錬を含み、このエレクトロスラグ精錬工程は、
精錬すべき精錬液体金属のソース（２４）を設け、
精錬液体金属ソースのエレクトロスラグ精錬に適当なエレクトロスラグ精錬構造（３０）を設け、溶融スラグを容器中に与え、
精錬された溶融金属を溶融スラグの下側に保持するコールドハース構造（４０）を設け、精錬された溶融金属をコールドハース構造内に与え、
精錬液体金属ソースをエレクトロスラグ精錬構造内に挿入し、かつエレクトロスラグ精錬構造内の溶融スラグと接触するように装填し、
電力を供給する電源（７０）を設け、
電源、金属ソース、溶融スラグ及びエレクトロスラグ精錬構造を含む回路に、精錬液体金属ソースをエレクトロスラグ精錬して溶融液滴の形態の精錬液体金属を形成するため電力を供給し、
金属ソースが溶融スラグと接触するところで金属ソースを抵抗加熱溶融し、溶融金属の液滴を形成し、
溶融液滴を溶融スラグ中に落下させ、
溶融液滴が溶融スラグ中を通過した後、溶融液滴をエレクトロスラグ精錬構造直下のコールドハース構造内で精錬液体金属本体として収集し、
コールドハース構造の下方部分にオリフィスを有するコールドフィンガオリフィス構造（８０）を設け、
コールドハースオリフィス構造に集まるエレクトロスラグ精錬された金属をコールドフィンガオリフィス構造のオリフィスを通して排出する
工程を含む、請求項９に記載の方法。
【手続補正書】
【提出日】平成20年2月12日(2008.2.12)
【手続補正１】
【補正対象書類名】明細書
【補正対象項目名】特許請求の範囲
【補正方法】変更
【補正の内容】
【特許請求の範囲】
【請求項１】  工作物（２６）上のプログラム可能な経路（４２）を辿るようにマウント（１６）に着脱自在に支持された工作機械（１８）を有するロボット機械（１０）の較正ポインタであって、
上記マウント（１６）に支持される工作機械（１８）と同じ形をしたハウジング（３０）と、
該ハウジング（３０）内に固定されていて、上記工作物（２６）に対してレーザビーム（３４）を放出するレーザ（３２）であって、上記ハウジング（３０）からの異なるオフセットに対応した集束スポット（３４ａ）に上記レーザビームを焦点合わせするため調節自在の焦点距離を有していて、電力ケーブル（３８）によって該レーザに作動的に結合した遠隔電源（３６）を含んでいるレーザ（３２）と
を有する較正ポインタ。
【請求項２】  前記機械（１０）が、プラズマ溶射ガン（１８）の形をした工作機械をその遠位端に支持する多軸アーム（１２）を含み、上記ガンの中にプラズマ溶射ノズル（２０）が装着され、前記ポインタハウジング（３０）が前記レーザをその中に密封して装着した第２のプラズマ溶射ノズルを有する、請求項１記載の較正ポインタ。
【請求項３】  前記第２のノズルが、その中に装着された前記レーザ（３２）と締まりばめになるように軸方向に分割されている、請求項２記載の較正ポインタ。
【請求項４】  前記集束スポット（３４ａ）が目に見えるように前記レーザ（３２）が可視レーザビーム（３４）を放出するように構成されている、請求項２記載の較正ポインタ。
【請求項５】  更に、前記多軸アーム（１２）に作動的に結合されていて、その位置を制御するプログラム可能な制御装置（１４）を有し、該制御装置は、前記アーム上に支持された前記ポインタに対するプログラムされた経路を含んでいて、前記工作物からのオフセットを維持するように構成されている、請求項２記載の較正ポインタ。
【請求項６】  請求項５記載の較正ポインタを使用する方法であって、
前記ポインタを前記機械に取付け、
前記機械を作動して前記ポインタを前記経路に沿って往復動させ、
前記レーザビームを前記工作物に対して該工作物からのあるオフセット距離の集束スポット（３４ａ）に投射する
工程を含む方法。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
ｎ＋ｍ（ｎ，ｍは両方とも２以上の整数）ビットの入力デジタル信号をアナログ信号に変換するＤ／Ａコンバータであって、
抵抗ストリングを有し、前記入力デジタル信号の上位ｍビットの信号をこの上位ｍビット分の信号に対応し、下位ｎビットの分の幅を持つ一対のアナログ信号に変換する上位変換部と、
抵抗ストリングを有し、前記上位変換部からの一対の出力を分割し、下位ｎビットの信号に応じて選択されたアナログ信号に変換する下位変換部と、
を有することを特徴とするＤ／Ａコンバータ。
【請求項２】
請求項１に記載のＤ／Ａコンバータにおいて、
前記上位変換部の一対の出力をそれぞれ安定化させる一対のバッファアンプを有することを特徴とするＤ／Ａコンバータ。
【請求項３】
請求項１または２に記載のＤ／Ａコンバータにおいて、
前記上位変換部は、ｎより大きいｐビット分の幅を持つ一対のアナログ信号を出力し、
前記下位変換部は、ｐ（ｐは２以上の整数）ビット分の変換幅の中のｎビット分に対応する部分を利用してｎビットの信号に基づき出力を選択することを特徴とするＤ／Ａコンバータ。
【請求項４】
請求項３に記載のＤ／Ａコンバータにおいて、
前記入力デジタル信号が動作保証範囲外の大きい値または小さい値である場合に、前記下位変換部において、ｎビットに対応する以外の部分を利用して出力することを特徴とするＤ／Ａコンバータ。
【請求項５】
請求項１〜４のいずれか１つに記載のＤ／Ａコンバータにおいて、
前記下位変換部は、同一構成のものが複数設けられ、入力デジタル信号と別に供給される補正ビットに応じていずれかの出力が選択されることを特徴とするＤ／Ａコンバータ。
【手続補正２】
【補正対象書類名】明細書
【補正対象項目名】０００７
【補正方法】変更
【補正の内容】
【０００７】
本発明は、ｎ＋ｍ（ｎ，ｍは両方とも２以上の整数）ビットの入力デジタル信号をアナログ信号に変換するＤ／Ａコンバータであって、抵抗ストリングを有し、前記入力デジタル信号の上位ｍビットの信号をこの上位ｍビット分の信号に対応し、下位ｎビットの分の幅を持つ一対のアナログ信号に変換する上位変換部と、抵抗ストリングを有し、前記上位変換部からの一対の出力を分割し、下位ｎビットの信号に応じて選択されたアナログ信号に変換する下位変換部と、を有することを特徴とする。
【手続補正書】
【提出日】平成20年2月26日(2008.2.26)
【手続補正１】
【補正対象書類名】明細書
【補正対象項目名】０００４
【補正方法】変更
【補正の内容】
【０００４】
【特許文献１】特開昭５９−１２８５２５号公報
【手続補正２】
【補正対象書類名】明細書
【補正対象項目名】００２８
【補正方法】変更
【補正の内容】
【００２８】
波長変換素子３１２は、入射した光の波長をほぼ半分の波長（第二の波長）に変換する。波長変換素子３１２は、図１に示すように、光源３１１と外部共振器３１３との間に形成された第一光路Ｏ１上に設けられている。
【手続補正３】
【補正対象書類名】明細書
【補正対象項目名】００３０
【補正方法】変更
【補正の内容】
【００３０】
波長変換部３１２Ａは、入射した光の第二高調波を生成する第二次高調波発生（ＳＨＧ：Second Harmonic Generation）素子である。波長変換部３１２Ａは、周期的な分極反転構造を備えており、擬似位相整合（ＱＰＭ：Quasi Phase Matching）による波長変換によって、入射した光の波長をほぼ半分の波長（第二の波長）に変換する。例えば、光源３１１から射出される光の波長（第一の波長）が１０６４ｎｍ（近赤外）である場合、波長変換部３１２Ａは、これを半分の波長（第二の波長）５３２ｎｍに変換して、緑色の光を生成する。ただし、背景技術でも述べたように、波長変換部３１２Ａの波長変換効率は、一般的に３０〜４０％程度である。つまり、光源３１１から射出された光のすべてが、第二の波長の光に変換されるわけではない。
【手続補正書】
【提出日】平成20年6月30日(2008.6.30)
【手続補正１】
【補正対象書類名】特許請求の範囲
【補正対象項目名】請求項１１
【補正方法】変更
【補正の内容】
【請求項１１】
請求項７記載の処理データの提供ビジネスであって、
請求項７記載の特定の処理装置は、インターネットに接続手段を有するパソコン、ワークステーションなどを用いて、撮影記録の開始終了、撮影対象の光学画像の拡大倍率変更、及び撮影対象の撮影位置変更に関する少なくとも一つの制御を可能としたカメラであり、
請求項７記載の処理データは、前記カメラを制御することによって得られた画像データであることを特徴とする処理データの提供ビジネス。
【手続補正２】
【補正対象書類名】特許請求の範囲
【補正対象項目名】請求項１２
【補正方法】変更
【補正の内容】
【請求項１２】
ユーザとして認証登録後、パソコン、ワークステーションなど、インターネットに接続手段を有するリモート制御機器を用いて、特定の処理装置をユーザがインターネットを介してリモート操作することにより開始され、
前記特定の処理装置は、前記ユーザより離れた場所にあって、登録されていない偽ユーザによるリモート制御を排除する機能を有し、
ユーザが前記定の処理装置をリモート操作し、前記リモート操作により新たに生成された処理結果である処理データをそれぞれのユーザにインターネットを介して提供し、ユーザより処理データの提供に対する対価を得ることで終了する処理データの提供ビジネスであって、
前記特定の処理装置は、パソコン、ワークステーションなど、インターネットに接続手段を有するリモート制御機器を用いて、撮影記録の開始終了、撮影対象の光学画像の拡大倍率変更、及び撮影対象の撮影位置変更に関する少なくとも一つの制御を可能としたカメラであり、
前記処理データは、前記カメラを制御することによって得られた画像データであり、
処理データの提供者に対しては、処理データの提供の手順を提示する段階と、処理データを依頼するユーザの認証登録を受付ける段階と、認証登録された第１ユーザがインターネットを介して前記処理装置をリモート操作中は、第２ユーザによるリモート操作を受付けないようにスケジュール化して、あたかも前記第１のユーザが単独の操作であるように処理装置を制御する手段を設ける段階と、ユーザがセキュリティを確保して処理データを受け取れるように暗号化と復号化の手段を設ける段階とを備える一方、
処理データを依頼するユーザに対しては、前記インターネットネットを介して処理データを依頼するユーザとして認証登録する段階と、前記ユーザがリモート操作する段階と、前記ユーザが処理データを受け取る段階とを備えることを特徴とする処理データの提供ビジネス。
【手続補正３】
【補正対象書類名】明細書
【補正対象項目名】００２０
【補正方法】変更
【補正の内容】
【００２０】  検査分析ユーザは、検査分析の際に、検査分析試料の他、検査分析の出力データに付加される暗号指定した検査分析のための操作レシピーデータを検査分析装置へ入力する。
検査分析装置の管理者側は、個々の検査分析データについては、関与しないで、検査分析装置が所定の性能を維持するように管理を行う。これにより、検査分析装置の管理者は、検査分析装置の性能維持管理ができればよく、例えば、検査分析対象であった半導体集積回路の製造プロセスに熟知したエキスパートでなくてよくなり、人件費コストが削減できる。
【手続補正４】
【補正対象書類名】明細書
【補正対象項目名】００２５
【補正方法】変更
【補正の内容】
【００２５】  本件発明の検査分析方法は、複数ユーザに対し、離れた場所にある検査分析装置を共用して利用可能とし、検査分析試料を検査分析装置に装着した際に、検査分析箇所が容易に判断できるように、検査分析試料の光学画像、または検査分析試料上の分析位置座標情報（分析試料を保持する駆動ステージ座標系の位置情報）をユーザ側へ提供するものである。
【手続補正５】
【補正対象書類名】明細書
【補正対象項目名】００２８
【補正方法】変更
【補正の内容】
【００２８】  （実施の形態１）
本発明者は、半導体集積回路の微細化および高集積化に伴い、半導体集積回路装置の開発、製造などに用いる検査分析を低コストで効率良く実施することを目的として、次のような観点で解決手段を検討した。
前提として、不特定多数のユーザ（顧客）より検査分析試料を受け取り、効率的に検査分析を行う。ここで、検査分析は、半導体製造に合せた検査分析の条件設定をユーザ側が決め、ユーザの検査分析のための操作レシピーデータとして提供を受ける。すなわち、検査分析装置の管理者側は、これまでに確立された検査分析技術の事例は、これを熟知していないユーザ側に提示するが、ユーザの個別試料の内容について熟知する必要がないことを前提とした。これにより、検査分析装置の効率的な運用が行える。また、検査分析を希望するユーザに対しては、インターネット等のような通信回線を介し、検査分析結果の出力データを短時間で提供するものである。
【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
前後方向に略平行に延びる左右一対の第１凹部と、該第１凹部の後端から上向きに連続して延びる第２凹部と、を有し、第１凹部及び第２凹部にマッサージ手段を具備したリクライニング可動部と、
該リクライニング可動部を、第１凹部及び第２凹部が上向きに開口した状態で、第１凹部が床面に対して略平行な状態から略垂直な状態まで回動可能に支持するベース部と、
マッサージ手段の動作を制御する制御手段と、
を具えた足用マッサージ機において、
リクライニング可動部は、第１凹部に被施療者の足先を挿入し、第２凹部に被施療者のふくらはぎを挿入した第１挿入方向と、第１凹部に被施療者のふくらはぎを挿入し、第２凹部に被施療者の足先を挿入した第２挿入方向で使用可能であり、被施療者の脚の挿入方向を検知する方向検知手段が配備され、
該方向検知手段は、制御手段に電気的に接続され、制御手段は、方向検知手段により検知された被施療者の脚の挿入方向に基づいて、マッサージ手段の動作を制御する足用マッサージ機。
【請求項２】
方向検知手段は、マッサージ手段の動作時の負荷を検知する手段である請求項１に記載の足用マッサージ機。
【請求項３】
マッサージ手段は、エアバッグであって、方向検知手段は、エアバッグの圧力変化を検知することで脚の挿入方向を検知する請求項２に記載の足用マッサージ機。
【請求項４】
方向検知手段は、第１凹部及び／又は第２凹部の底面に配置された圧力センサである請求項１に記載の足用マッサージ機。
【請求項５】
方向検知手段は、第１凹部及び／又は第２凹部の底面に配置された接触型スイッチである請求項１に記載の足用マッサージ機。
【請求項６】
マッサージ手段を操作する操作部を具え、該操作部には、被施療者の脚の挿入方向を表示する表示部を有し、制御手段は、方向検知手段により検知された被施療者の脚の挿入方向を表示部に表示するようにした請求項１乃至請求項５の何れかに記載の足用マッサージ機。
【請求項７】
表示部は、脚の挿入方向に応じたマッサージコースを表示する請求項６に記載の足用マッサージ機。
【請求項８】
被施療者の腰掛ける座部と、該座部の後端に配備され被施療者の背中の当たる背凭れ部と、座部の前端に配備され被施療者のふくらはぎ及び足先をマッサージする脚部と、を具えた椅子型マッサージ機において、
脚部は、請求項１乃至請求項７の何れかに記載の足用マッサージ機であることを特徴とする椅子型マッサージ機。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
血管造影法用注射装置のための注射器キットであって、
末端と基端とを有し且つ圧送チャンバと入口ポートとを形成している注射器本体と、
前記注射器本体の末端に配置され、注射器ホルダの噛み合い面と接触する形状になされたほぼ平らな面を有し、それによって、注射器による圧送中に前記注射器にかけられる圧力が、前記噛み合い面に当接する前記平らな面にほぼ沿って分布せしめられるようになされ、出口ポートを含む注射器端壁と、
前記圧送チャンバ内に配置され、前記基端のすぐ近くの位置と前記末端のすぐ近くの位置との間を往復動できるようになされた注射器プランジャと、
を含む注射器キット。
【請求項２】
請求項１に記載の注射器キットであって、
前記注射器に接続可能なマニホルドを更に含み、同マニホルドが、
マニホルド殻体と、
前記注射器との流体連通を提供するために前記マニホルド殻体に設けられた第一のポートと、
患者との流体連通を提供するために前記マニホルド殻体に設けられた第二のポートと、
低圧装置との流体連通を提供するために前記マニホルド殻体に設けられた第三のポートと、を含んでいる、注射器キット。
【請求項３】
請求項２に記載の注射器キットであって、
前記マニホルドに接続可能な複数の管を更に含み、同複数の管が、
患者用の管と、
低圧管と、
フラッシュ管と、を含んでいる、注射器キット。
【請求項４】
請求項３に記載の注射器キットであって、
前記マニホルドに接続可能な患者用カテーテルを更に含む、注射器キット。
【請求項５】
請求項２に記載の注射器キットであって、
前記マニホルドが第一の状態と第二の状態とを有している弁を含んでおり、
前記第一の状態は、前記第二のポートと第三のポートとが互いに流体連通しており、前記第一のポートが前記第二及び第三のポートと流体連通していない状態であり、
前記第二の状態は、前記第一のポートと第二のポートとが互いに流体連通しており、前記第三のポートが前記第一及び第二のポートと流体連通していない状態である、注射器キット。
【請求項６】
請求項５に記載の注射器キットであって、
前記弁が、通常は前記第一の状態へ付勢されており且つ前記第一のポート内の流体圧力が所定のレベルを超えたときに前記第二の状態へと切り換えることができるようになされている、注射器キット。
【請求項７】
請求項６に記載の注射器キットであって、
前記弁がばね付勢されたスプール弁である注射器キット。
【請求項８】
請求項５に記載の注射器キットであって、
前記低圧装置が、
前記第三のポートと流体連通している圧力変換器と、
前記第三のポートと流体連通しているポンプとを含んでいる、注射器キット。
【請求項９】
請求項２に記載の注射器キットであって、
前記マニホルドが、第一の状態と、相反する第二の状態とを有する弁を含んでおり、当該弁は、前記第一の状態へと受動的に付勢されるように構成されている注射器キット。
【請求項１０】
請求項５に記載の注射器キットであって、
前記マニホルドの弁が、前記マニホルドの殻体の内面に接するようになされた少なくとも２つのリッジ部を含んでいるマニホルドワイパーを含んでいる、注射器キット。
【請求項１１】
請求項１０に記載の注射器キットであって、
前記マニホルド殻体が、前記マニホルドワイパーの少なくとも２つのリッジ部とかみ合うことができる少なくとも１つの突出部を前記マニホルド殻体の内面に沿って含んでいる、注射器キット。
【請求項１２】
請求項２に記載の注射器キットであって、
前記第二のポートが、揺動減少ポートを介して前記マニホルド殻体の内面と流体連通している、注射器キット。
【請求項１３】
請求項２に記載の注射器キットであって、
前記第二のポートが、揺動減少通路を介して前記マニホルド殻体の内面と流体連通している、注射器キット。
【請求項１４】
請求項２に記載の注射器キットであって、
前記第三のポートが、多数の部分に分かれた開口部を介して前記マニホルド殻体の内面と流体連通している、注射器キット。
【請求項１５】
請求項２に記載の注射器キットであって、
前記マニホルド殻体が、
前記マニホルド殻体の前記第一、第二及び第三のポートと流体連通するようになされた内面と、
前記内面と前記第一のポートとの間に設けられた円錐形状通路とを含んでいる、注射器キット。
【請求項１６】
請求項１５に記載の注射器キットであって、
前記マニホルド殻体内の前記円錐形状通路が環状リングで終端しており、当該環状リングは、前記第一のポート内へ突出しており且つ前記注射器の出口ポートからのチューブとの間に圧力嵌めを形成するようになされている、注射器キット。
【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
遊技機前面部に設けられ遊技球を貯留する球受け皿と、
前記球受け皿の球出口から流出する遊技球を取り込む取込装置と
を備え、
同取込装置は取付部に対して着脱可能であり、同取付部における取付位置に配置されることで前記球出口からの遊技球の取り込みが可能となり、
同取込装置により予め定められた数の遊技球が取り込まれた場合に遊技の開始が許容される遊技機において、
回動可能に軸支されている軸部及びその軸部から同軸部の回動中心軸線と交差する方向に突出する突出部を有し、前記回動中心軸線を中心とした回動に基づいて前記突出部が特定位置及び非特定位置に切り替えられるように構成されており、前記突出部が前記特定位置にある場合に前記取込装置の取り外しを規制する手動操作可能な操作部と、
前記取込装置及び前記操作部を前記遊技機前面部の背面側から覆う第１位置、及び前記遊技機前面部の背面側を開放し前記取込装置の着脱に際して当該取込装置の着脱を許容する第２位置の両位置を含んだ範囲内を移動可能となるように設けられている背面カバーと、
前記背面カバーに設けられ、前記突出部が前記非特定位置にある場合に、前記軸部と当たることにより前記背面カバーの前記第１位置への移動を不可とする規制部と
を備えていることを特徴とする遊技機。
【請求項２】
前記軸部及び前記規制部の一方には凸部が形成されており、他方には前記突出部が前記非特定位置に配置されている場合に前記凸部の挿入が回避され、前記突出部が前記特定位置にある場合に前記凸部の挿入が許容される凹部が形成されていることを特徴とする請求項１に記載の遊技機。
【請求項３】
前記軸部は前記凸部を有し、その凸部によって前記操作部を回動操作可能な操作つまみが構成されていることを特徴とする請求項２に記載の遊技機。
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
骨中への経皮経路を確立する器具であって、
軸に沿って整列された内孔を規定する側壁を有し、かつ遠位末端を有する、カニューレ；および
該側壁にある外周開口部であって、遠位終端を有し、該側壁の周方向に部分的に広がりそして該軸に沿って細長く伸び、かつ該孔内部からの膨張可能構造体の通路を提供するように適合され、ここで該膨張可能構造体が該カニューレに結合していない、外周開口部
を備え、そして
該孔は、該外周開口部の該遠位終端と該カニューレの該遠位末端との間で中実である、器具。
【請求項２】
骨中への経皮経路を確立する器具であって、
軸に沿って整列された内孔を規定する側壁を有し、かつ遠位末端を有する、カニューレ；
該遠位末端にある遠位開口部であって、該孔と連絡してガイドピンの通路を提供する、遠位開口部；および
該側壁にある外周開口部であって、該側壁の周方向に部分的に広がりそして該軸に沿って細長く伸び、かつ該孔内部からの膨張可能構造体の通路を提供するように適合されている、外周開口部
を備える、器具。
【請求項３】
骨中への経皮経路を確立する器具であって、
軸に沿って整列された内孔を規定する側壁を有し、かつ遠位末端を有する、カニューレ；
該側壁にある外周開口部であって、該側壁の周方向に部分的に広がりそして該軸に沿って細長く伸び、かつ該孔内部からの膨張可能構造体の通路を提供するように適合されている、外周開口部；および
該遠位末端を骨に固着させるための、該カニューレの該遠位末端上の表面
を備える、器具。
【請求項４】
前記外周開口部が遠位終端を有し、そして
前記孔が、該外周開口部の該遠位終端と前記カニューレの前記遠位末端との間で中実である、請求項３に記載の器具。
【請求項５】
前記カニューレが、該孔と連絡してガイドピンの通路を提供する、前記遠位末端上の遠位開口部を有する、請求項３に記載の器具。
【請求項６】
骨を処置するためのアセンブリであって、
軸に沿って整列された内部孔を規定する側壁を有し、かつ遠位末端を有する、カニューレ；
該孔と連絡してガイドピンの通路を提供する、該遠位末端にある遠位開口部；
該側壁にある外周開口部であって、該側壁の周方向に部分的に広がりそして該軸に沿って細長く伸び、かつ該孔内部からの膨張可能構造体の通路を提供するように適合されている、外周開口部；および
骨を通って該カニューレに挿入され、該外周開口部を通って膨張するように適合されている、膨張可能構造体
を備える、アセンブリ。
【請求項７】
骨を処置するためのアセンブリであって、
軸に沿って整列された内部孔を規定する側壁を有し、かつ遠位末端を有する、カニューレ；
該側壁にある外周開口部であって、遠位終端を有し、該側壁の周方向に部分的に広がりそして該軸に沿って細長く伸び、かつ該孔内部からの膨張可能構造体の通路を提供するように適合されている、外周開口部；および
骨を通って該カニューレ中に挿入され、該外周開口部を通って膨張するように適合されている、膨張可能構造体
を備え、
該孔は、該円周開口部の該遠位終端と該カニューレの該遠位末端との間で中実である、アセンブリ。
【請求項８】
骨を処置するためのアセンブリであって、
軸に沿って整列された内部孔を規定する側壁を有し、かつ遠位末端を有する、カニューレ；
該側壁にある外周開口部であって、遠位終端を有し、該側壁の周方向に部分的に広がりそして該軸に沿って細長く伸び、かつ該孔内部からの膨張可能構造体の通路を提供するように適合されている、外周開口部；
該遠位末端を骨に固着させるための、該カニューレの該遠位末端上の表面、および
骨を通って該カニューレ中に挿入され、該外周開口部を通って膨張するように適合されている、膨張可能構造体
を備える、アセンブリ。
【請求項９】
前記膨張可能構造体が、前記外周開口部内で該構造体を位置決めするための放射線不透過性マーカーを有する、請求項６または７または８に記載のアセンブリ。
【請求項１０】
骨を処置するアセンブリであって、
請求項１または２または３に記載のカニューレであって；ここで、該カニューレが、海綿質骨に挿入される形態であり；かつ該カニューレを通って膨張可能構造体が挿入され、該外周開口部と位置合わせするような形態であるカニューレを備え；そして
該外周開口部を通って該膨張可能構造体が膨張され、海綿質骨と接触させる、アセンブリ。
【請求項１１】
前記膨張可能構造体の膨張が、海綿質骨を圧縮する、請求項１０に記載のアセンブリ。
【請求項１２】
前記海綿質骨の圧縮が、空洞を形成する、請求項１１に記載のアセンブリ。
【請求項１３】
前記空洞に材料が運ばれる、請求項１２に記載のアセンブリ。
【請求項１４】
前記膨張可能構造体の膨張が、骨折した皮質骨を移動させる、請求項１０に記載のアセンブリ。
【請求項１５】
図４に示されるシステム。